(57)【要約】【課題】利用者の会場内における配信エリア移動に対応して、グループで来場しかつ共に行動している利用者に対してグループ内の特定端末のみにガイド情報の自動配信を行う。【解決手段】ガイド情報データベースを備えたホストシステムと、ガイド情報を受信する複数の移動端末装置とから構成し、事前登録された利用者の友達リストから利用者同士に友達関係があるかを判定し、移動端末装置の位置情報から共に行動しているかを判定し、配信を行う。【選択図】図１
2014082580.tif 000002
【特許請求の範囲】
【請求項１】
利用者の移動端末装置とネットワークを介して接続可能なホストシステムを有するガイド情報配信システムにおいて、前記ホストシステムが、
会場内の１又は複数の配信エリアの各々についてのガイド情報を格納したガイド情報データベースと、
利用者の移動端末装置を識別する端末識別情報と当該利用者に固有の友達関係判定用データとを利用者ごとに登録するとともに、当該利用者の移動端末装置の現在位置を示す位置情報と当該利用者の属する友達グループを識別する友達グループＩＤとを利用者ごとに登録可能である利用者データベースと、
利用者の端末識別情報と当該利用者以外の１又は複数の他の利用者の友達関係判定用データの一覧である友達リストとを対応付けて利用者ごとに登録した友達リストテーブルと、
会場に新たに来場した新規来場利用者の移動端末装置から端末識別情報を受信したとき、受信した端末識別情報を基に前記友達リストテーブル及び前記利用者データベースを参照し、当該新規来場利用者及び既に会場に来場済みの来場済利用者の各々の友達リストに互いの友達関係判定用データが存在するか否かを判定することにより当該新規来場利用者と来場済利用者が友達関係にあるか否かを判定する手段と、
新規来場利用者と来場済利用者が友達関係にあると判定された場合、前記利用者データベースを参照することにより、当該来場済利用者が既に友達グループＩＤを有しているか否かを判定する手段と、
友達関係にある来場済利用者が既に友達グループＩＤを有している場合、新規来場利用者の前記利用者データベースに同じ友達グループＩＤを登録する手段と、
友達関係にある来場済利用者が友達グループＩＤを有していない場合、新規来場利用者と当該来場済利用者の各々の前記利用者データベースに新規の友達グループＩＤを登録する手段と、
前記配信エリアに入った来場済利用者の移動端末装置から端末識別情報と位置情報とともに前記ガイド情報の配信要求を受信したとき、端末識別情報を基に前記利用者データベースを参照して友達グループＩＤを取得するとともに同じ友達グループＩＤをもつ他の来場済利用者の位置情報を取得し、配信要求を行った来場済利用者と他の来場済利用者が一定の距離内にいるか否かを判定する手段と、
配信要求を行った来場済利用者と他の来場済利用者が一定の距離内にいる場合は、配信要求を行った来場済利用者及び他の来場済利用者のうちの１又は複数の移動端末装置に対して前記ガイド情報を配信する手段と、を備えたことを特徴とする
ガイド情報配信システム。
【請求項２】
前記利用者データベースに利用者の代表者の属性が登録されており、前記ガイド情報を配信する手段が、前記利用者データベースを参照し、配信要求を行った来場済利用者及び他の来場済利用者のうち代表者の属性をもつ者の移動端末装置のみに対して前記ガイド情報を配信することを特徴とする請求項１に記載のガイド情報配信システム。
【請求項３】
前記移動端末装置は、前記配信エリアの位置情報を予め格納したデータ格納部と、アクセスポイントからの電波を受信して自装置の現在位置を検出する現在位置検出手段と、検出した現在位置が前記配信エリア内であるとき当該現在位置の位置情報と前記端末識別情報とともに前記ガイド情報の配信要求を前記ホストシステムに対して送信する配信要求送信手段と、前記ホストシステムから受信した前記ガイド情報を表示するガイド情報表示手段を備えることを特徴とする
請求項１又は２に記載のガイド情報配信システム。
【発明の詳細な説明】
【技術分野】
【０００１】
本発明は、展示場等の会場内における各配信エリアのガイド情報を、ホストシステムから移動端末装置に対して配信するガイド情報配信システムに関するものである。
【背景技術】
【０００２】
近年、情報配信ホストシステムから無線の通信ネットワークを経由して携帯端末等の移動端末装置にデータ配信を行うことによって、移動端末装置の利用者に必要なデータを提供することが一般的に行われている。また、博物館や美術館などでは、展示物の情報を来場者の移動端末装置に配信し、ガイドを行うサービスも行われている。
【０００３】
本発明に関連する公知技術文献としては、下記の特許文献１がある。
【先行技術文献】
【特許文献】
【０００４】
【特許文献１】特開２００９−５４１６５号公報
【発明の概要】
【発明が解決しようとする課題】
【０００５】
上記のようなシステムやサービスにおいては、取得できる情報の種類や数が増えるに従って、利用者が必要な情報を選択したり受信操作を行ったりする負担が増大するという課題がある。また、データ量が大きくなれば、ダウンロードに要する通信時間や通信コストも増大する。
【０００６】
さらに近年では、展示場での展示物の説明が動画を用いて行われることが多くなっている。しかし、これらの動画を来場者の移動端末装置に配信する場合には、通信時間や通信コストの問題が発生しやすい。
【０００７】
本発明の目的は、展示場などで展示物のガイド情報を利用者の移動端末装置に配信する場合などに、グループで来場している利用者に対して共に行動しているグループを判定し、グループ内の特定端末のみに、会場内のエリアとグループのメンバー構成に応じた情報の配信を行うことができる、ガイド情報配信システムを提供することにある。
【課題を解決するための手段】
【０００８】
上記目的を達成するために、本発明は以下の構成を提供する。
本発明の態様は、利用者の移動端末装置とネットワークを介して接続可能なホストシステムを有するガイド情報配信システムにおいて、前記ホストシステムが、会場内の１又は複数の配信エリアの各々についてのガイド情報を格納したガイド情報データベースと、利用者の移動端末装置を識別する端末識別情報と当該利用者に固有の友達関係判定用データとを利用者ごとに登録するとともに、当該利用者の移動端末装置の現在位置を示す位置情報と当該利用者の属する友達グループを識別する友達グループＩＤとを利用者ごとに登録可能である利用者データベースと、利用者の端末識別情報と当該利用者以外の１又は複数の他の利用者の友達関係判定用データの一覧である友達リストとを対応付けて利用者ごとに登録した友達リストテーブルと、会場に新たに来場した新規来場利用者の移動端末装置から端末識別情報を受信したとき、受信した端末識別情報を基に前記友達リストテーブル及び前記利用者データベースを参照し、当該新規来場利用者及び既に会場に来場済みの来場済利用者の各々の友達リストに互いの友達関係判定用データが存在するか否かを判定することにより当該新規来場利用者と来場済利用者が友達関係にあるか否かを判定する手段と、新規来場利用者と来場済利用者が友達関係にあると判定された場合、前記利用者データベースを参照することにより、当該来場済利用者が既に友達グループＩＤを有しているか否かを判定する手段と、友達関係にある来場済利用者が既に友達グループＩＤを有している場合、新規来場利用者の前記利用者データベースに同じ友達グループＩＤを登録する手段と、友達関係にある来場済利用者が友達グループＩＤを有していない場合、新規来場利用者と当該来場済利用者の各々の前記利用者データベースに新規の友達グループＩＤを登録する手段と、前記配信エリアに入った来場済利用者の移動端末装置から端末識別情報と位置情報とともに前記ガイド情報の配信要求を受信したとき、端末識別情報を基に前記利用者データベースを参照して友達グループＩＤを取得するとともに同じ友達グループＩＤをもつ他の来場済利用者の位置情報を取得し、配信要求を行った来場済利用者と他の来場済利用者が一定の距離内にいるか否かを判定する手段と、配信要求を行った来場済利用者と他の来場済利用者が一定の距離内にいる場合は、配信要求を行った来場済利用者及び他の来場済利用者のうちのいずれかの一つの移動端末装置に対して前記ガイド情報を配信する手段と、を備えたことを特徴とする。
【０００９】
上記態様において、前記利用者データベースに利用者の代表者の属性が登録されており、前記ガイド情報を配信する手段が、前記利用者データベースを参照し、配信要求を行った来場済利用者及び他の来場済利用者のうち代表者の属性をもつ者の移動端末装置のみに対して前記ガイド情報を配信することが、好適である。
【００１０】
上記態様において、前記移動端末装置は、前記配信エリアの位置情報を予め格納したデータ格納部と、アクセスポイントからの電波を受信して自装置の現在位置を検出する現在位置検出手段と、検出した現在位置が前記配信エリア内であるとき当該現在位置の位置情報と前記端末識別情報とともに前記ガイド情報の配信要求を前記ホストシステムに対して送信する配信要求送信手段と、前記ホストシステムから受信した前記ガイド情報を表示するガイド情報表示手段を備えることが、好適である。
【発明の効果】
【００１１】
本発明のガイド情報配信システムによれば、次のような効果がある。
（１）利用者同士の友達関係及び現在位置の位置情報を基に、同じグループに所属しかつ共に行動しているかどうかの判定を行い、共に行動している一グループに対してガイド情報を自動配信することによって、必要な利用者にのみ配信を行うことができ、システムの負荷やコストを節減できる。
（２）共に行動している一グループの中の１つの移動端末装置にのみガイド情報を配信することによって、システムの負荷やコストを節減できる。
（３）利用者のグループ登録をしなくても、既存の情報を利用してグループを判定することができる。
【図面の簡単な説明】
【００１２】
【図１】図１は、本発明の一実施の形態例を示すシステム構成図である。
【図２】図２は、移動端末装置の内部構成図である。
【図３】図３は、利用者データベースの構成図である。
【図４】図４は、友達リストの構成図である。
【図５】図５は、ガイド情報の配信要求フレームと返信フレームの構成図である。
【図６】図６は、ホストシステムの友達グループ判定処理を示すフローチャートである。
【図７】図７は、ホストシステムの配信処理を示すフローチャートである。
【発明を実施するための形態】
【００１３】
以下、本発明を適用したガイド情報配信システムの一実施の形態について説明する。
図１は、本発明の実施の形態の一例を示すシステム概略構成図である。本ガイド情報配信システムは、ガイド情報データベース１を有するホストシステム２と、このホストシステム２からガイド情報を受信する複数の移動端末装置３ａ，３ｂ，３ｎとを主たる要素として構成されている。移動端末装置３ａ，３ｂ，３ｎは、無線回線によってアクセスポイント４と接続されている。そして、アクセスポイント４は有線の公衆回線網によるネットワーク５と接続され、このネットワーク５にホストシステム２が接続されている。従って、移動端末装置３ａ，３ｂ，３ｎは、アクセスポイント４に到る無線回線及び有線のネットワーク５を通じてホストシステム２に接続されていることになる。
【００１４】
ホストシステム２は、所定のプログラムを導入されたコンピュータ装置であり、ＣＰＵがメモリにプログラムを読み込み実行することにより、以下に説明する各機能を実現する。ホストシステム２には、ガイド情報データベース１の他に、利用者データベース６及び友達リストテーブル９が設けられている。
【００１５】
ホストシステム２のガイド情報データベース１には、例えば展示場等での展示物の説明などのガイド情報が登録される。ガイド情報は、各展示物の存在するエリア（ガイド情報の配信エリアに対応）の位置情報に対応付けられている。また好適には、ガイド情報は、１つの配信エリアにおいて配信対象となる利用者グループのグループ構成に合わせて対応付けられている。グループ構成を示すグループ構成情報は、例えば女性のみで構成されるグループや、子供を含むグループなどの情報であり、それぞれ、女性向けのガイド情報や、子供でも分かりやすいガイド情報などが配信される。ガイド情報は、対応する配信エリアに到達した利用者グループの１又は複数の移動端末装置に対して配信される。好適には、利用者グループのうちの一人の移動端末装置に対して配信される。
【００１６】
また、利用者データベース６には、移動端末装置３ａ，３ｂ，３ｎを所有（利用時に携帯）しかつ本システムを利用してガイド情報データベース１に格納されているガイド情報の配信を受ける利用者の情報が格納される。利用者の情報としては、事前登録情報、利用者の位置情報、ガイド情報の配信状況等がある。友達リストテーブル９には、利用者の友達リストの情報が格納される。
【００１７】
ホストシステム２は、ガイド情報データベース１及び利用者データベース６の更新や検索を行うデータ処理部７、移動端末装置３ａ，３ｂ，３ｎ等との送受信を行う送受信部８を備えている。
【００１８】
移動端末装置３ａ，３ｂ，３ｎは、ホストシステム２との通信機能及び自装置の現在位置の検出機能等の以下に説明する機能を実現する所定のプログラムを導入されたコンピュータ装置であればよい。具体的形態は、例えば、利用者の携帯電話機、携帯情報端末などでもよい。
【００１９】
以下の図２〜図７の説明では、図１〜図４に示した符号を他の図の説明で参照する場合がある。
【００２０】
図２は、図１に示した移動端末装置３ａ，３ｂ，３ｎの構成を概略的に示した図である。
主たる要素として、アクセスポイント４からの電波を受信して自装置の現在位置を検出する位置検出部２１、この位置検出部２１が検出した現在位置に基づいて、自装置が配信エリアにいることを検知するエリア判定部２２、配信要求をホストシステム２に向けて送信する送受信部２３、ホストシステム２から受信したガイド情報を格納するデータ格納部２４、受信したガイド情報を表示する表示部２５を備えて構成されている。
【００２１】
ここでエリア判定部２２は、位置検出部２１が検出した現在位置に基づいて自装置が展示場等の会場内の配信エリアに到達したことを検知し、これを契機として、送受信部２３がホストシステム２に対して配信要求を送信する。「配信エリア」とは、展示場等の会場内において所定の広さを有する区画であって所定のガイド情報の配信対象となる区画である。会場内には１又は複数の配信エリアが設けられる。会場内の１又は複数の配信エリアの位置情報は、利用者の来場時にホストシステム２から送信され、移動端末装置に格納される。すなわち、配信エリアの位置情報は、利用者が会場内での移動を開始する前に予め移動端末装置に格納される。
【００２２】
図３は、図１に示した利用者データベース６の構成例である。
図３に示すように、利用者氏名３０、属性フラグ３１、端末識別情報３２、電話番号３３、ＳＮＳ（Social Networking Service：ソーシャルネットワーキングサービス）アカウント３４、グループ構成判定情報３５、来場フラグ３６、友達グループＩＤ３７、位置情報３８、配信フラグ３９が登録される。移動端末装置の登録は、利用者が会場に来場する前（会場の入口で行う場合を含む）に行われる。
【００２３】
利用者氏名３０は、利用者の氏名である。
属性フラグ３１は、利用者が所定のグループの代表（例えば、父親等の家族の代表、ツアーガイド等の団体の代表）であることを示す情報である。代表の場合は"True"を、代表でない場合は"False"を登録する。
【００２４】
端末識別情報３２は、本システムにより割り当てられた、移動端末装置を一意に識別する情報である。ホストシステム２からの配信は、ここで登録されている端末識別情報を持つ移動端末装置に対して行われる。
【００２５】
電話番号３３は、移動端末装置が携帯電話機の場合の電話番号である。ＳＮＳアカウント３４は、利用者が利用しているＳＮＳにおける利用者のアカウントである。電話番号３３又はＳＮＳアカウント３４は、本システムとは関係しない別の適宜のシステムにより利用者に割り当て済みの識別情報である。本システムにおいては、これらを友達グループの判定に利用する。従って、電話番号３３又はＳＮＳアカウント３４のいずれも登録されていない場合は、友達グループの判定はできない。利用者を識別する固有の識別情報である電話番号又はＳＮＳアカウント等を、本明細書では「友達関係判定用データ」と称することとする。なお、本明細書において「友達グループ」とは、一般的な友達や知り合いの意味に限らず、一定の関係のあるグループや団体の意味で用いる。従って、家族やツアー団体も友達グループの１つとして扱う。
【００２６】
グループ構成判定情報３５は、利用者をグループに分けてガイド情報の配信を行う際に、グループのメンバー構成に応じたガイド情報を配信するために参照する情報であり、例えば性別や年齢、職業などを登録する。
【００２７】
来場フラグ３６は利用者が会場内に滞在している（"True"）か否（"False"）かを示す情報であり、利用者の来場・退場時に更新される。
【００２８】
友達グループＩＤ３７は、利用者を友達関係のある友達グループに分ける場合に、所属する友達グループを一意に判別するために自動的に割り当てられる識別情報である。利用者がどの友達グループにも所属しない場合は、友達グループＩＤ３７は"０"となる。
【００２９】
位置情報３８は、利用者の（すなわち移動端末装置の）現在位置を示す情報であり、二次元座標で表されている。
【００３０】
配信フラグ３９は、ガイド情報の配信を行った（"True"）か否（"False"）かを示す情報であり、ガイド情報の配信時に更新される。なお、複数の配信エリアが設けられている場合は、複数の配信エリアの各々のガイド情報に対応する複数の配信フラグ３９が設けられる。
【００３１】
ホストシステム２は、定期的に来場済みの利用者の移動端末装置から位置情報を取得し、利用者データベース６の位置情報３８を登録、更新する。移動端末装置は、自装置の現在位置の位置情報を、会場に設置された複数の無線ＬＡＮアクセスポイントの電波強度から判定する。
【００３２】
ガイド情報の配信は、利用者データベース６に登録されている友達グループＩＤ３７と位置情報３８に基づいて、同一の友達グループに所属しかつ一定範囲内にいる利用者のうち、１又は複数の移動端末装置に対して、好適には１つの移動端末装置に対して行われる。一定範囲内にいるか否かの判定は、二つの移動端末装置間の距離を位置情報を元に計算して判定する。ガイド情報の配信が行われた場合には、利用者データベース６の該当する利用者の配信フラグ３９を配信済に更新する。
【００３３】
以上述べた通り、利用者氏名３０、属性３１、端末識別情報３２、電話番号３３、ＳＮＳアカウント３４及びグループ構成判定情報３５は、利用者データベース６を新規登録する際にデータが登録される。来場フラグ３６、友達グループＩＤ３７、位置情報３８及び配信フラグ３９は、利用者が会場に来場してから退場するまでの間にデータが登録又は更新される。
【００３４】
図４は、図１に示した友達リストテーブル９の構成例である。友達リストテーブルは、図３の利用者データベースと連携して用いられる。
【００３５】
端末識別情報４１は、図３の利用者データベースの端末識別情報３２に対応する。登録日時４２は、友達リスト４３の登録を行った日時である。友達リスト４３は、アドレス帳データ又はＳＮＳの友達一覧である。「アドレス帳データ」とは、利用者の移動端末装置のアドレス帳に登録されている電話番号の一覧である。「ＳＮＳの友達一覧」とは、利用者が利用しているＳＮＳにおいて友達のつながりを持つ人物のＳＮＳアカウントの一覧である。すなわち、ある利用者の友達リスト４３は、当該利用者以外の１又は複数の他の利用者の友達関係判定用データから構成されている。
【００３６】
友達リスト４３の登録は、利用者の登録と同時に又は利用者の登録の後に行う。また、既に登録されている友達リストに替えて別の友達リストを再登録することもできる。二人の利用者の友達関係の判定は、この友達リスト４３に基づいて行われる。
【００３７】
友達リストテーブル９の友達リスト４３に基づき、利用者が友達グループに分けられ、利用者データベース６の友達グループＩＤ３７が登録される。利用者が、ある友達グループのメンバーのうち少なくとも一人の利用者と友達関係にあるとき、利用者はその友達グループのメンバーとなる。二人の利用者が「友達関係にある」とは、友達リスト４３にお互いの友達関係判定用データが登録されている関係である。例えば、利用者Ａの友達リストに利用者Ｂの友達関係判定用データ（電話番号又はＳＮＳアカウント）が登録されており、かつ、利用者Ｂの友達リストに利用者Ａの友達関係判定用データ（電話番号又はＳＮＳアカウント）が登録されている関係である。
【００３８】
図５は、移動端末装置３ａ，３ｂ，３ｎがホストシステム２に対して送信する配信要求のフレームと、移動端末装置からの配信要求に対し、ホストシステム２が作成する返信フレームの例を示した図である。
【００３９】
移動端末装置３ａ，３ｂ，３ｎがホストシステム２に対して配信を要求する場合は、図５（ａ）に示すように、ガイド情報配信要求コマンド５１、現在位置情報５２、発信元端末識別情報５３からなる配信要求フレームを作成して送信する。
【００４０】
移動端末装置からの配信要求に対し、ホストシステム２は、図５（ｂ）に示すように、送信先端末識別情報５４、ガイド情報５５、ガイド対象位置情報５６からなる返信情報フレームを作成して要求元の移動端末装置に対して返信する。ここでガイド対象位置情報５６は、移動端末装置に送信したガイド情報が、会場内のどの配信エリアに対応する情報であるかを識別する情報であり、この返信フレームを受信した移動端末装置は、自装置の現在位置に応じてガイド情報を表示する。
【００４１】
図６は、ホストシステム２の友達グループ判定処理の概要を示すフローチャートである。
ホストシステム２は、利用者データベース６に事前登録されている移動端末装置が会場に設置されている無線ＬＡＮのアクセスポイント４に接続したことから、新たに来場した利用者（「新規来場利用者」と称する）を検知する（ステップ６０１、ステップ６０２）。このとき、新規来場利用者の移動端末装置から端末識別情報がホストシステム２に端末識別情報が送信される。ホストシステム２は、端末識別情報を基に利用者データベース６を参照し、新規来場利用者の来場フラグ３６を"True"に更新する。
【００４２】
移動端末装置から端末識別情報を初めて受信したとき（来場フラグを"True"としたとき）、ホストシステム２は新規来場利用者の友達グループを判定する。新規来場利用者の友達グループを判定するために、端末識別情報を基に友達リストテーブル９を参照し、新規来場利用者の友達リスト４３に登録されている友達関係判定用データ（電話番号又はＳＮＳアカウント）を全て取得する。友達リスト４３から取得した友達関係判定用データと一致する友達関係判定用データ（電話番号又はＳＮＳアカウント）を持つ他の利用者を、利用者データベース６から検索する（ステップ６０３）。なお、この検索では、既に来場済みの利用者（「来場済利用者」と称する）、すなわち来場フラグ３６が"True"となっている利用者を対象とする。
【００４３】
検索の結果、来場済利用者の中に、新規来場利用者の友達リスト４３に含まれる友達関係判定用データと一致する友達関係判定用データを持つ者が存在するか否かを判断する（ステップ６０４）。存在しない場合は、友達グループを作成しない（ステップ６１１）。存在する場合は、その来場済利用者の友達リストテーブル９の友達リスト４３を検索し（ステップ６０５）、新規来場利用者の友達関係判定用データ（電話番号あるいはＳＮＳアカウント）が登録されているか否かを判定する（ステップ６０６）。これにより、新規来場利用者と来場済利用者が友達関係にあるか否かを判定する。
【００４４】
新規来場利用者の友達関係判定用データが、来場済利用者の友達リスト４３に登録されている場合には、新規来場利用者と来場済利用者とは友達関係にあると判定される。続いて、来場済利用者の利用者データベース６の友達グループＩＤ３７をチェックし（ステップ６０７）、来場済利用者が既に別の友達グループに属している（すなわち友達グループＩＤを有している）か否かを判定する（ステップ６０８）。来場済利用者が既存の友達グループに属している場合は、新規来場利用者を既存の友達グループに追加する（ステップ６０９）。このとき、新規来場利用者の利用者データベース６における友達グループＩＤ３７には、既存の友達グループの友達グループＩＤを登録する。
【００４５】
なお、新規来場利用者と友達関係にある来場済利用者が複数存在し、かつ、それらの来場済利用者が異なる友達グループに属している場合は、例えば、その時点で新規来場利用者と最も近い位置情報をもつ来場済利用者の友達グループに新規来場利用者を追加する。  
【００４６】
来場済利用者がいずれの友達グループにも属していない場合は、新規の友達グループを作成し、新規の友達グループＩＤを、来場済利用者と新規来場利用者の各々の利用者データベース６の友達グループＩＤ３７に登録する（ステップ６１０）。
【００４７】
ステップ６０６で、新規来場利用者と友達関係にある来場済利用者が存在しない場合は、友達グループは作成しない（ステップ６１１）。
【００４８】
ホストシステム２は、移動端末装置の無線ＬＡＮアクセスポイント４への接続が切断したことによって、来場済利用者の退場を検知する（ステップ６１２）。この移動端末装置にガイド情報の配信が行われている場合は、利用者データベースの配信フラグ３９を"True"から"False"に更新する（ステップ６１３、ステップ６１４）。
【００４９】
最後に来場フラグ３６を"False"に更新し、友達グループＩＤ３７を"０"に更新する（ステップ６１５）。移動端末装置３ａ，３ｂ，３ｎは、自端末が無線ＬＡＮアクセスポイント４から切断したことを検知して、配信済みガイド情報を削除する。
【００５０】
以上の方法で定義した友達グループに対して、友達グループの複数のメンバーが１つの配信エリア内にいる場合に、好適には、当該友達グループの代表者一人を配信の対象とする。代表者は、例えばその友達グループが家族である場合は父親、観光客の団体である場合はツアーガイドなどとする。代表者である場合は、利用者データベース６の属性３１に"True"を登録する。また、友達グループが友達同士であって代表者が登録されていない場合は、ガイド情報を配信する際に当該友達グループ内で友達関係にあるメンバーの数が最も多い者を代表者と決定する。友達関係にあるメンバーの数で代表者を判定する場合は、友達リストテーブル９の友達リスト４３を利用して友達関係にある当該友達グループ内のメンバー数を取得し、代表者の判定を行う。なお、代表者が一人のみが好適であるが、別の例として二人又は三人等の複数であってもよい。
【００５１】
ガイド情報の配信では、会場内の配信エリアごとに専用のガイド情報を配信する。つまり、配信エリアに利用者が来たことを検知したときに、周囲に同一の友達グループに属する利用者がいるか否かを判定し、判定結果に応じてガイド情報の配信を行う。
【００５２】
図７は、ホストシステム２のガイド情報配信の概要を示すフローチャートである。
移動端末装置３ａ，３ｂ，３ｎは、自装置の現在位置が配信エリアに入ったことを契機として、ホストシステム２に対してガイド情報の配信要求を送信する。会場内の配信エリアの位置情報は、来場時にホストシステム２から移動端末装置に送信され、移動端末装置のデータ格納部に記憶されている。移動端末装置はこの配信エリア位置情報と、アクセスポイント４から取得した自端末の位置情報に基づいて、配信エリアに入ったことを検知する。
【００５３】
ホストシステム２は、配信要求を受信すると（ステップ７０１）、利用者データベース６を検索して配信要求元の利用者と同じ友達グループＩＤをもつ他の利用者の移動端末装置の位置情報３８を取得し（ステップ７０２）、配信要求元の利用者の移動端末装置の位置情報と比較して、二端末間の距離（すなわち配信要求元の利用者と他の利用者の間の距離）を計算する（ステップ７０３、ステップ７０４）。この距離が一定の値以下である場合は、その二端末の利用者同士が共に行動していると判断する。
【００５４】
同一の友達グループに属しかつ共に行動している利用者が存在しない場合は、ガイド情報データベースを検索し（ステップ７０５）、配信要求元の移動端末装置に対して、その配信エリアに対応するガイド情報を配信し（ステップ７０６）、配信フラグ３８を"True"に更新する（ステップ７０７）。
【００５５】
同一の友達グループに属しかつ共に行動している利用者が存在する場合は、利用者データベース６の配信フラグ３８を参照し（ステップ７０８）、いずれかの利用者の移動端末装置に当該配信エリアのガイド情報が配信済か否かを判定する（ステップ７０９）。ガイド情報の配信が行われている移動端末装置が存在しない場合は、友達グループの代表者の移動端末装置に、自端末が所属する友達グループのグループ構成に応じた情報を配信する。友達グループのグループ構成は、利用者データベース６のグループ構成判定情報３５を参照して判定し、このグループ構成向けのガイド情報をガイド情報データベース１から検索し（ステップ７０５）、配信を行う（ステップ７０６）。配信後には、配信が行われた移動端末装置に対する配信フラグ３９を"True"に更新する（ステップ７０７）。
【００５６】
ステップ７０９において、共に行動している利用者のいずれかの移動端末装置に当該配信エリアのガイド情報が配信済である場合は、配信要求元利用者へのガイド情報配信は行わない（ステップ７１０）。
【符号の説明】
【００５７】
１：ガイド情報データベース、２：ホストシステム、３ａ，３ｂ，３ｎ：移動端末装置、４：無線ＬＡＮアクセスポイント、５：ネットワーク、６：利用者データベース、７：データ処理部、８：送受信部、９：友達リストテーブル、２１：位置検出部、２２：エリア判定部、２３：送受信部、２４：データ格納部、２５：表示部
【図１】
2014082580.tif 000003
【図２】
2014082580.tif 000004
【図３】
2014082580.tif 000005
【図４】
2014082580.tif 000006
【図５】
2014082580.tif 000007
【図６】
2014082580.tif 000008
【図７】
2014082580.tif 000009